(57)【要約】【課題】電子レンジ加熱時には自然に蒸気抜きが行え、かつ落下時の衝撃による破袋の虞を抑制できる包装袋を提供する。【解決手段】重ね合わせられた一対のシート２，３と、内容物を収容可能な収容空間５が一対のシートの間に形成されるように前記一対のシートを互いにシールする部分であり、一対のシートの縁に沿う第１のシール部７、８，９および収容空間側に向けて凹んだ形状を有する第２のシール部１０、を含むシール部と、第２のシール部により囲まれたシールされていない部分である未シール部１３と、を備え、第２のシール部は、収容空間側に突出した先端部１１と、先端部と第１のシール部とを繋げる接続部１２とを有し、第２のシール部は、収容空間側が第１のシール強度を有し、未シール部側が第２のシール強度を有し、第１のシール強度よりも第２のシール強度が大きい。【選択図】図１
2019202794.tif 000002
【特許請求の範囲】
【請求項１】
一対のシートを重ね合わせて縁をシールして内容物を収容する収容空間が形成された包装袋であって、
前記一対のシートの縁に沿う第１のシール部、および前記収容空間側に向けて凹んだ形状を有する第２のシール部、を含むシール部と、
前記第２のシール部により囲まれたシールされていない部分である未シール部と、を備え、
前記第２のシール部は、前記収容空間側に突出した先端部と、前記先端部と前記第１のシール部とを繋げる接続部とを有し、
前記第２のシール部は、前記収容空間側が第１のシール強度を有し、前記未シール部側が第２のシール強度を有し、
前記第１のシール強度よりも前記第２のシール強度が大きいことを特徴とする包装袋。
【請求項２】
前記第１のシール強度が、２５〜３０Ｎ／１５ｍｍであることを特徴とする請求項１に記載の包装袋。
【請求項３】
前記第２のシール強度が、３０〜５０Ｎ／１５ｍｍであることを特徴とする請求項１または２に記載の包装袋。
【請求項４】
前記未シール部が、前記第１のシール部よりも前記収納空間側に入り込んでいることを特徴とする請求項１から３のいずれかに記載の包装袋。
【請求項５】
前記接続部は、前記先端部側から前記第１のシール部側に向けて進行する前記第２のシール部の剥離を規制する剥離規制部を有することを特徴とする請求項１から４のいずれかに記載の包装袋。
【請求項６】
前記収容空間側に向けて凹んだ形状が、台形、Ｖ字形、Ｕ字形のいずれかであることを特徴とする請求項１から５のいずれかに記載の包装袋。
【請求項７】
前記１対のシートの下端側に逆Ｖ字状に二つ折りした底シートを挟みこみ、縁をシールしたスタンディングパウチ形状であることを特徴とする請求項１から６のいずれかに記載の包装袋。
【請求項８】
請求項１から７のいずれかに記載の包装袋の製造方法であって、前記第２のシール部をヒートシールする際、前記第１のシール強度とする部位のヒートシール後に、前記第２のシール強度とする部位をヒートシールすることを特徴とする包装袋の製造方法。
【発明の詳細な説明】
【技術分野】
【０００１】
本発明は、電子レンジを用いて加熱することができ、包装袋のまま開封せずに食品を好適に加熱調理することが可能な包装袋に関するものであり、さらに、落下などの衝撃によっても破袋しにくいパウチに関するものである。
【背景技術】
【０００２】
従来から、調理済みまたは半調理状態の食品を、常温、低温、あるいは冷凍保存可能に包装袋に収容し、開封せずに電子レンジで加熱して調理することのできる、包装袋入りの食品が知られている。包装袋を開封せずに電子レンジで加熱すると、包装袋内の水分が水蒸気となり、包装袋の体積が増加して内圧が高まるので、水蒸気が逃げられる隙間がないと破裂などの虞がある。そのため、例えば特許文献１のパウチのように、側部シール部に他の部分に先だって剥離して水蒸気などを放出する未シール部と張出部分を設けて蒸気抜きシール部とすることなどが行われている。
【０００３】
また、包装袋は、輸送時や取り扱い時に落下したときの衝撃により破袋し、内容物が漏出してしまうことがある。これを防ぐためには、ヒートシール時のシール圧を高めて強くシールする、また例えば特許文献２のように、スタンディングパウチの底部フィルムの折り目とパウチ側面の折り曲げのための折り曲げ線の交点をボトムシール部内に位置する様にして、落下時の衝撃が前記交点に集中することを防ぐ、などといった手法も行われていた。
【０００４】
しかし、電子レンジ加熱用の包装袋の場合、前述のように蒸気抜きシール部が設けられ、蒸気抜きシール部は加熱時の内圧により自然に開封する様にされているため、他の部分よりも剥離しやすくなっており、特許文献２に開示されているような構造を採用した場合でも、落下時の衝撃により蒸気抜きシール部が剥離して包装袋が開封され、内容物の漏出が起こることがあった。またヒートシール時のシール圧を高めて強くシールした場合、蒸気抜きの際のシール部の剥離がうまく行かずに内圧が高まりすぎて袋が破裂してしまったり、シールの際にシーラント樹脂が流れてシール部の厚みが薄くなってしまう、いわゆるシール痩せと称される現象が生じて逆に破袋し易くなったりすることがあり、問題となっていた。
【先行技術文献】
【特許文献】
【０００５】
【特許文献１】特開２０１７−１４９４８７号公報
【特許文献２】特開２０１５−２１４３５２号公報
【発明の概要】
【発明が解決しようとする課題】
【０００６】
本発明は以上の様な従来技術に鑑みなされたもので、電子レンジ加熱用の包装袋であって、電子レンジ加熱時には自然に蒸気抜きが行え、かつ落下時の衝撃による破袋の虞を抑制できる包装袋を提供することを課題とする。
【課題を解決するための手段】
【０００７】
上記課題を解決するため、本発明の請求項１に係る発明は、
重ね合わせられた一対のシートと、
内容物を収容可能な収容空間が前記一対のシートの間に形成されるように前記一対のシートを互いにシールする部分であり、前記一対のシートの縁に沿う第１のシール部、および
前記収容空間側に向けて凹んだ形状を有する第２のシール部、を含むシール部と、
前記第２のシール部により囲まれたシールされていない部分である未シール部と、を備え、
前記第２のシール部は、前記収容空間側に突出した先端部と、前記先端部と前記第１のシール部とを繋げる接続部とを有し、
前記第２のシール部は、前記収容空間側が第１のシール強度を有し、前記未シール部側が第２のシール強度を有し、
前記第１のシール強度よりも前記第２のシール強度が大きいことを特徴とする包装袋である。
【０００８】
また、本発明の請求項２に係る発明は、
前記第１のシール強度が、２５〜３０Ｎ／１５ｍｍであることを特徴とする請求項１に記載の包装袋である。
【０００９】
また、本発明の請求項３に係る発明は、
前記第２のシール強度が、３０〜５０Ｎ／１５ｍｍであることを特徴とする請求項１または２に記載の包装袋である。
【００１０】
また、本発明の請求項４に係る発明は、
前記未シール部が、前記第１のシール部よりも前記収納空間側に入り込んでいることを特徴とする請求項１から３のいずれかに記載の包装袋である。
【００１１】
また、本発明の請求項５に係る発明は、
前記接続部は、前記先端部側から前記第１のシール部側に向けて進行する前記第２のシール部の剥離を規制する剥離規制部を有することを特徴とする請求項１から４のいずれかに記載の包装袋である。
【００１２】
また、本発明の請求項６に係る発明は、
前記収容空間側に向けて窪んだ形状が、台形、Ｖ字形、Ｕ字形のいずれかであることを特徴とする請求項１から５のいずれかに記載の包装袋である。
【００１３】
また、本発明の請求項７に係る発明は、
前記１対のシートの下端側に逆Ｖ字状に二つ折りした底シートを挟みこみ、縁をシールしたスタンディングパウチ形状であることを特徴とする請求項１から６のいずれかに記載の包装袋である。
【００１４】
また、本発明の請求項８に係る発明は、
請求項１から７のいずれかに記載の包装袋の製造方法であって、前記第２のシール部をヒートシールする際、前記第１のシール強度とする部位のヒートシール後に、前記第２のシール強度とする部位をヒートシールすることを特徴とする包装袋の製造方法である。
【発明の効果】
【００１５】
本発明によれば、包装袋を電子レンジで加熱する際、内容物の水分から生じる水蒸気の圧力により包装袋のシール部の一部である第２のシール部が剥離して開口を形成することにより、内圧が高くなり過ぎて袋が破裂することを防ぎ、水蒸気による暖めや調理、蒸らしができると共に、包装袋の輸送や取扱い中に落下による衝撃などに耐えて破袋を防ぐことができる。
【００１６】
すなわち、シール強度を他のシール部と同等として、または強くして、または弱くしてシール強度を全体で一様にした従来の蒸気抜きシール部と異なり、本発明の包装袋の蒸気
抜きシール部である第２のシール部は、収容空間側を第１のシール強度、未シール部側を第２のシール強度とし、第２のシール強度を第１のシール強度より大きくすることにより、シール強度を強くした部位でもシール痩せが生じ難くすることができ、第２のシール強度を有する部分により包装袋の落下に伴う衝撃による破袋を抑制できるシール強度を有すると共に、電子レンジによる加熱時においては、内容物から発生した水蒸気の内圧により、シール強度のより低い第１のシール強度を有する収容空間側から第２のシール部の剥離が進み、徐々にシール強度がより高い第２のシール強度を有する未シール部側の剥離に至り、剥離が未シール部に達することで蒸気抜きシール部が開口して未シール部から蒸気を放出することで袋の破裂を防ぐことができる包装袋が得られる。
【図面の簡単な説明】
【００１７】
【図１】本発明の包装袋の一形態の正面図である。
【図２】充填口を封止した状態の包装袋の正面図である。
【図３】蒸気抜きシール部の拡大図である。
【図４】蒸気抜きシール部が実際に開封される様子を例示した図である。
【図５】蒸気抜きシール部に剥離規制部を設けた例の拡大図である。
【図６】蒸気抜きシール部の別形態の例の模式図である。
【発明を実施するための形態】
【００１８】
以下、本発明の実施の形態を、図面を参照しながら詳細に説明する。なお本発明は以下に説明する実施形態に限定されるものではない。また以下において同等の部材等には同じ符号を付して説明を省略することがある。
【００１９】
図１および図２は、本発明の包装袋の一構成例を示す図である。本発明の包装袋１は、１対の積層シート２、３を対向させて表裏のシートとし、底部に逆Ｖ字に折畳んだ底シート４を挟みこんで縁で貼り合せて右辺シール部７、左辺シール部８および底辺シール部９とし、内部に収容空間５を設けたスタンディングパウチの形態である。図１は天辺側を開口した状態を示していて、天辺が内容物の充填口６となっている。充填口６から内容物２０を充填した後にシールして天辺シール部６´として包装袋１を密封した状態を例示したのが図２である。なお包装袋１は、例示したようなスタンディングパウチに限られず、例えば平パウチの形態であっても良い。また、１枚の積層シートを二つ折りにして、縁でシールした三方シール袋の形状であっても良い。
【００２０】
積層シート２、３は例えば以下のような層構造を有する。
積層シート２、３は最外層、中間層、および、最内層を含む。最外層を構成する材料の一例は透明な材料である。透明な材料の一例はポリエチレンテレフタレートである。中間層は印刷層、第１の接着層、延伸ナイロン層、および、第２の接着層を含む。印刷層は最外層の内側に設けられる。一例では印刷層の外面に絵柄および商品説明のテキスト等が印刷される。第１の接着層は印刷層の内側に設けられる。延伸ナイロン層は第１の接着層の内側に設けられる。第２の接着層は延伸ナイロン層の内側に設けられる。各接着層を構成する材料の一例はドライラミネート接着剤である。最内層は第２の接着層の内側に設けられる。最内層はシーラント層とすることができる。最内層を構成する材料の一例は無延伸ポリプロピレンである。
【００２１】
右辺シール部７、左辺シール部８、底辺シール部９および天辺シール部６´を総じて第１のシール部として、右辺シール部７の天辺側に、収容空間５側に向けて凹んだ形状を有する蒸気抜きシール部１０である第２のシール部１０が設けられている。第２のシール部１０は、第１のシール部に接続する接続部１１と、収容空間５側に突出した先端部１２を有しており、第２のシール部１０に囲まれた領域はシールされていない未シール部１３となっている。未シール部１３は、右辺シール部７のシール幅を超えて収納空間５側に入り
込んでいる。
【００２２】
蒸気抜きシール部１０である第２のシール部１０は、封止された状態の包装袋１が電子レンジなどの加熱手段により加熱される際に内容物２０から発生した水蒸気を収容空間５の外部に排出するために設けられた部分である。蒸気抜きシール部１０である第２のシール部１０は、接続部１１で右辺シール部７と連続し、右辺シール部７とともに積層シート２、３の側部をシールしている。なお蒸気抜きシール部１０である第２のシール部１０は、左辺シール部８に設けられても良いことは言うまでもない。
【００２３】
第２のシール部１０は、収容空間５側の部分１４が第１のシール強度を有し、未シール部１３側の部分１５が第２のシール強度を有してシールされており、第２のシール強度は第１のシール強度よりも大きくなっている。それぞれのシール強度は、積層シート２、３の材質や内容物の加熱温度などに応じて適宜設定することができるが、例えばＪＩＳ  Ｚ
１７０７：１９９７に規定のヒートシール強さに基づく測定値が、第１のシール強度を２５〜３０Ｎ／１５ｍｍ、第２のシール強度を３０〜５０Ｎ／１５ｍｍとすると好ましい。
【００２４】
図３は蒸気抜きシール部１０の拡大図である。第１のシール強度を有する収容空間５側の部分１４のシール幅Ｗ１は、１ｍｍ〜３ｍｍとすると好ましい。第２のシール強度を有する未シール部１３側の部分１５の幅Ｗ２は、２ｍｍ〜３ｍｍとすると落下時にも破袋しない十分なシール強度が得られ好ましい。第１のシール強度を有する部分１４と第２のシール強度を有する部分１５のシール強度、シール幅を上記のように設定することで、落下時の衝撃によっては破袋せず、使用の際に加熱した時には内圧が過剰に上昇して袋の破裂に至る前に蒸気抜き部１０でのシール剥がれが起きて蒸気抜きをより安定して行える。
【００２５】
第１のシール強度を有する部分１４と第２のシール強度を有する部分１５を設ける際は、第１のシール強度を有する部分１４を先に形成し、その後、第２のシール強度を有する部分１５を設けるようにするのが望ましい。第１のシール強度を有する部分１４が先に設けられていることにより、第２のシール強度を有する部分１５を設けるためにより強いシール圧を加えても、積層体２、３のシーラント層の流動が第１のシール強度を有する部分１４に規制されて流動し難く、シール痩せを起こし難くなるためである。
【００２６】
また実際に設ける方法としては、第１のシール強度を有する部分１４と第２のシール強度を有する部分１５をそれぞれ別個のシール型を用いるなどしてシール温度、シール圧、シール時間などのシール条件を別個に設定してヒートシールしても良いが、例えば、最初に第１のシール強度を有する部分１４と第２のシール強度を有する部分１５を合わせたシール型で同時に同条件でヒートシールし、次いで第２のシール強度を有する部分１５のみを再度ヒートシールしても良い。すなわち、第２のシール強度を有する部分１５は２回ヒートシールすることで、シール強度が高くなる様にすることもできる。
【００２７】
右辺シール部７、左辺シール部８の一方または両方の天辺近傍に、包装袋を切り裂いて開封する補助となるノッチ（図示せず）を設けても良い。またノッチの延長上に、天辺シール部６´に平行に切取線（図示せず）を設けても良い。ノッチから切取線に沿って包装袋１の一部を容易に切り取ることができ、天辺の部分が開口され、使用者は、開口された天辺から内容物２０を取り出すことができる。ノッチ、切取線はいずれも公知の方法を適宜採用して設けることができ、例えばノッチはカッター刃により切込みや型刃によるＶ字状の切欠きなどにより設けることができ、切取線は傷加工やレーザー加工によりハーフカット線を設ける、直線カット性のフィルムを貼り付けるなどの方法により設けることができる。
【００２８】
図４は、蒸気抜きシール部１０が実際に開封される様子を例示した図である。左側の図で、包装袋を加熱すると、内容物の水分が水蒸気となることなどにより袋の内圧が上昇する。内圧による応力１７は蒸気抜きシール部１０の収容空間５側に突出した先端部１２の中でも特に突出した部位、図では左下部分に集中し、まず第１のシール強度を有する部分１４でシール剥がれが始まる。この時点では、シール剥がれは第２のシール強度を有する部分１５では起こっておらず、非シール部１３が袋の端縁に達して形成された開口１６からの蒸気抜きは発生していない。
【００２９】
袋の加熱が進み、内圧がさらに高まってくると、右側の図のように、蒸気抜きシール部１０に掛かる応力はさらに強くなり、第１のシール強度を有する部分１４よりも強いシール強度でシールされた第２のシール強度を有する部分１５でもシール剥がれが発生し始め、シール剥がれが未シール部１３に達すると袋の内部と外部が連通し、開口１６から蒸気１８が噴出し、蒸気抜きが行われる。
【００３０】
このとき、未シール部１３が右辺シール部７のシール幅を超えて収納空間５側に入り込んでいることで、先端部１２のシール剥がれが自然に未シール部１３に達して蒸気抜きがスムーズに行える。そうでない場合、先端部１２のシール剥がれの進行が右辺シール部７により規制を受け、未シール部１３まで達し難くなる可能性があり、蒸気抜きが不安定となってしまう虞がある。
【００３１】
また、蒸気抜きシール部１０の剥離が、先端部１２の特定の部位から徐々に進行する様に、剥離を規制する剥離規制部を設けても良い。図５は、剥離規制部１９において第１のシール強度を有する部分１４の幅Ｗ３を広く設定することで、図の左下側からの徐々に剥離が進行し易くなる様にした例である。これにより、第２のシール強度を有する部分１５の剥離も左下側から徐々に進行し易くなり、未シール部１３への連通も徐々に進み、蒸気の放出が急に起こる虞が抑制できる。なお、剥離規制部で第２のシール強度を有する部分１５の幅を広くする様にしても良い。
【００３２】
図６は、蒸気抜きシール部１０である第２のシール部１０の別形態の例の模式図である。第２のシール部１０は、図１などに例示したような台形に限られず、形成し易い比較的単純な形状とすれば特に制限はないが、例えば図５（ａ）に示すようなＶ字状や、図５（ｂ）に示すようなＵ字状であっても良い。いずれの形状であっても、第２のシール部１０に囲まれて未シール部１３が設けられており、収納空間５側が第１のシール強度を有する部分１４とされ、未シール部１３側が第２のシール強度を有する部分１５とされている。
【００３３】
以上説明したように、本発明によれば、電子レンジで加熱する際、内容物の水分から生じる水蒸気の圧力によりシール部の一部である第２のシール部が剥離して開口部を形成することにより、内圧が高くなり過ぎて破袋することを防ぎ、水蒸気による暖めや調理、蒸らしができると共に、包装袋の輸送や取扱い中に落下による衝撃などに耐えて破袋を防ぐことができる包装袋が得られる。
【符号の説明】
【００３４】
１・・・包装袋
２、３・・・積層シート
４・・・底シート
５・・・収納空間
６・・・充填口
６´・・・天辺シール部
７・・・右辺シール部
８・・・左辺シール部
９・・・底辺シール部
１０・・・蒸気抜きシール部（第２のシール部）
１１・・・接続部
１２・・・先端部
１３・・・未シール部
１４・・・収容空間側の部分
１５・・・未シール部側の部分
１６・・・開口
１７・・・応力
１８・・・蒸気
１９・・・剥離規制部
２０・・・内容物
【図１】
2019202794.tif 000003
【図２】
2019202794.tif 000004
【図３】
2019202794.tif 000005
【図４】
2019202794.tif 000006
【図５】
2019202794.tif 000007
【図６】
2019202794.tif 000008